(57)【要約】【課題】  ボールを打った際の衝撃で手の平と手袋の接触面及び、手袋とグリップの接触面が滑りやすいため、滑り止めパーツをゴルフ手袋の内面の各箇所に接着し、滑りを防止するためのゴルフ手袋を提供する。【解決手段】  生地の両面に小突起を形成したシートを、ゴルフ手袋掌部の親指先端部用と他の指先端部用と親指以外の各関節間部用と中央部（舌状）用の各形に裁断し、ゴルフ手袋の内面の各箇所に接着、または、縫合することを特徴とするゴルフ手袋。【選択図】図１
2008229295.tif 000002
【特許請求の範囲】
【請求項１】
生地の両面に小突起を形成したシートを、ゴルフ手袋掌部の親指先端部用と他の指先端部用と親指以外の各関節間部用と中央部（舌状）用の各形に裁断し、ゴルフ手袋の内面の各箇所に接着、または、縫合することを特徴とするゴルフ手袋。
【発明の詳細な説明】
【技術分野】
【０００１】  本発明は、ボールを打った際の衝撃で手の平と手袋の接触面及び、手袋とグリップの接触面が滑りやすいため、滑り止めパーツをゴルフ手袋の内面の各箇所に接着し、滑りを防止するためのゴルフ手袋に関するものである。
【背景技術】
【０００２】  従来、ボールを打った際の衝撃で手の平と手袋の接触面及び、手袋とグリップの接触面の滑りを防止するために、グリップを強く握ることをしていたが、力が入りすぎて打球の方向性が安定しなかったり、握力の弱い人は滑らせていた。また、長時間プレーをしていると握力が衰えて滑りやすくなったり、ゴルフ手袋の各指袋がねじれを生じていた。
先行技術として、手袋の手のひら部の内側全面に滑り止め突起を接着している考案が知られている（特許文献１）。
また、グリップが当る手袋本体の裏面側に小突起を付着させた発明も知られている（特許文献２）。
さらに、人差指と中指を除いた掌部表面に無数の粒状小突起を形成している考案も知られている（特許文献３）。
【特許文献１】実開平０６−１７７７５号公報
【特許文献２】特開平１１−１０４２８７号公報
【特許文献３】実開昭４９−９９３７５号公報
【発明の開示】
【発明が解決しようとする課題】
【０００３】そのために、次のような問題点があった。
（イ）従来の手袋だと、雨や汗に濡れて手の平と手袋の接触面や手袋とグリップの接触面が滑りやすくなり、指袋もねじれていた。特に手袋の表面から雨水が浸透することによって、一層滑りやすくなり、ボールを打った際にクラブフェースがぶれて打球の方向性が定まらず安定したスイングができなかった。そして、飛距離ものびなかった。
（ロ）滑らないように握力アップのトレーニングが必要であった。
（ハ）手袋が雨水を含むと、スイングした時クラブを手から放すこともあり危険であった。
（ニ）手袋の手の平部の内側全面及び大半面に滑り止め突起を接着すれば、不必要な箇所にも接着して、グリップを握るため指を曲げた間接部分のしわに突起が入り込み違和感があった。
（ホ）掌部表面を直接凹凸の形状及び段差を設けたゴルフ手袋でコンペに参加することは、ルール上禁止されており、したがって、人差指と中指を除いた掌部表面に無数の粒状小突起を形成している手袋を使用して、コンペには参加できなかった。
本発明は以上の問題点を解決しようとするものである。
【課題を解決するための手段】
【０００４】  生地の両面に小突起を形成したシートをゴルフ手袋の親指先端部用と他の指先端部用と親指以外の各関節間部用と中央（舌状）用の各形に裁断し、ゴルフ手袋の内面の各箇所に接着、または、縫合する。以上を特徴とするゴルフ手袋である。
【発明の効果】
【０００５】  本発明は、グリップを握ると手の平と滑り止めパーツの接触面の滑りを防止することができ、同時に反対面の小突起も握力の作用でゴルフ手袋掌部表面が部分的に小突起状に隆起して、その隆起部分とグリップの接触面の滑りを防止し、指袋のねじれも防止する。これが片面だけの突起を取り付けてあれば両方の効果は得られない。
また、コンペに使用するゴルフ手袋には、掌部表面に直接凹凸で形成したり、段差を設けてはならないルールがあり、掌部表面に直接凹凸、あるいは、段差を設けたゴルフ手袋は使用できなかったが、本発明は間接的な構成であるためコンペに使用できる。
ボールを打った際の衝撃、及び、雨や汗の影響による悪条件下でボールを打った際の衝撃があっても両面に小突起で形成した滑り止めパーツを取り付けてあるため、スイングのぶれもなく打球の方向性も安定し、飛距離ものびる。また、ゴルフ手袋が雨水を含んだ状態でスイングしてもクラブを手から放すことはない。
所定の場所にのみ突起を有する滑り止めパーツを取り付けてあるため、グリップを握った際に各指関節部のしわの中に小突起が入り込まず違和感がない。その上、スイングの際に一層の力が加わる箇所に滑り止めパーツを設けてあるため、まめやたこの防止になる。
握力アップのトレーニングをすれば、より一層の滑り止め効果に役立つ。
【発明を実施するための最良の形態】
【０００６】  以下、本発明の実施の形態について説明する。
（イ）生地（１）の両面にシルクスクリーンを介して、小突起（２）を付着させ形成す        る。生地（１）は薄くて丈夫で軟質な合皮等の材料が望ましい。また、小突起（        ２）は弾性があるゴム、シリコーン、ポリウレタン樹脂等の材料が望ましい。
（ロ）皮膚側に接する小突起（２）の間隔は約３ｍｍで、高さは低めの方が皮膚に接触        しても違和感がない。また、反対面の小突起（２）の間隔は約５ｍｍで、高さは        前記小突起（２）よりやや高い方が望ましい。
（ロ）親指先端部用の滑り止めパーツ（３）１枚は縦約２５ｍｍ、横約１５ｍｍの楕円        形とし、前記親指先端部用以外の各指先端部用の滑り止めパーツ（３）４枚は縦        約１５ｍｍ、横約１０ｍｍの小判形とし、共通とする。また、親指以外の各指の        関節間部用の滑り止めパーツ（３）６〜８枚は一辺が１０ｍｍの正方形とし、共        通とする。そして、中央部用の滑り止めパーツ（３）１枚は縦約７０ｍｍ〜９０        ｍｍ、横約５０ｍｍ〜７０ｍｍの舌状に各各裁断することが望ましい。
（ハ）接着はゴム用のボンドを使用する。または、縫合を行うことが望ましい。
本発明は以上の構成からなるので、本発明を使用するときは、小突起（２）の間隔が広い面の縁または全面にボンドを塗り、次にゴルフ手袋（４）を裏に返して手にはめて、グリップを握るように半ば指等を曲げた状態で、ゴルフ手袋（４）の各関節部分のしわの中に入り込まないように、滑り止めパーツ（３）を各人が必要な箇所に接着させ、ボンドが乾燥すればゴルフ手袋（４）を表に返して使用する。
【実施例】
【０００７】  また、図４、５、６、７で示すように、縫合前のゴルフ手袋（４）の親指型パーツ（５）及び主型パーツ（６）の内面（裏面）に、統計を取り接着する位置を特定し、開口部（９）を設けた親指型紙（７）及び主型紙（８）をそれぞれに合わせて、前記開口部（９）に滑り止めパーツ（３）を接着した後、ゴルフ手袋（４）に縫合することができる。これにより、使用者が貼る手間と時間が省ける。
【図面の簡単な説明】
【０００８】
【図１】本発明の斜視図
【図２】本発明の滑り止めパーツの斜視図  （ａ）は親指先端部用の滑り止めパーツ。（ｂ）は親指以外の指先端部用の滑り止めパーツ。（ｃ）は指関節間部用の滑り止めパーツ。（ｄ）は中央部（舌状）用の滑り止めパーツ。
【図３】本発明の図２のＡ−Ａ′の拡大断面図
【図４】本発明の親指型パーツに滑り止めパーツを接着した実施例を示す平面図
【図５】本発明の主型パーツに滑り止めパーツを接着した実施例を示す平面図
【図６】本発明に貼る位置の開口部を設けた親指型紙の斜視図
【図７】本発明に貼る位置の開口部を設けた主型紙の斜視図
【符号の説明】
【０００９】１  生地
２  小突起
３  滑り止めパーツ
４  ゴルフ手袋
５  親指型パーツ
６  主型パーツ
７  親指型紙
８  主型紙
９  開口部
【図１】
2008229295.tif 000003
【図２】
2008229295.tif 000004
【図３】
2008229295.tif 000005
【図４】
2008229295.tif 000006
【図５】
2008229295.tif 000007
【図６】
2008229295.tif 000008
【図７】
2008229295.tif 000009